(57)【要約】【課題】無線通信の通信性能の低下を抑制することができる照明器具を提供する。【解決手段】照明器具１は、下方に光を出射するように照明ユニット１０が取り付けられる器具本体２０と、下方から見た場合に、器具本体２０から側方に突出した突出部３０と、無線通信を行うことで、照明器具１の動作を制御するための制御信号を受信する無線通信モジュール４０とを備え、無線通信モジュール４０は、突出部３０の上面３２より下方に位置し、突出部３０に固定されている。【選択図】図２
2018056015.tif 000002
【特許請求の範囲】
【請求項１】
無線通信機能を有する照明器具であって、
前方に光を出射するように発光部が取り付けられる器具本体と、
前記前方から見た場合に、前記器具本体から側方に突出した突出部と、
無線通信を行うことで、前記照明器具の動作を制御するための制御信号を受信する無線通信部とを備え、
前記無線通信部は、前記突出部の後面より前記前方に位置し、前記突出部に固定されている
照明器具。
【請求項２】
前記無線通信部は、
長尺の基板と、
前記基板の長手方向の一方端側に偏った位置に設けられ、前記制御信号を受信する受信部とを有し、
前記長手方向が前後方向に一致し、かつ、前記受信部が前記前方側になる姿勢で、前記突出部に固定されている
請求項１に記載の照明器具。
【請求項３】
前記受信部は、前記突出部の前面より前記前方に位置している
請求項２に記載の照明器具。
【請求項４】
前記無線通信部は、前記基板の主面が前記突出部の突出方向に平行になる姿勢で前記突出部に固定されている
請求項２又は３に記載の照明器具。
【請求項５】
前記無線通信部は、前記突出部の突出方向の先端側に偏った位置に固定されている
請求項２〜４のいずれか１項に記載の照明器具。
【請求項６】
前記無線通信部は、前記無線通信の通信範囲に指向性を有し、前記前方から見た場合に、前記通信範囲と前記器具本体との重複が少なくなる姿勢で固定されている
請求項１〜５のいずれか１項に記載の照明器具。
【請求項７】
さらに、
スピーカを備え、
前記無線通信部は、前記スピーカの出音又は消音を制御するための前記制御信号を受信する
請求項１〜６のいずれか１項に記載の照明器具。
【請求項８】
さらに、
前記突出部の内部に収納され、前記発光部を点灯させるための電力を供給する電源回路を備え、
前記無線通信部は、前記電源回路と電気的に接続され、前記発光部の点灯又は消灯を制御するための前記制御信号を受信する
請求項１〜６のいずれか１項に記載の照明器具。
【請求項９】
さらに、
前記発光部を点灯させるための電力を供給する電源回路と、
前記電源回路を収納し、前記器具本体とは離間して設けられた筐体と、
前記無線通信部が受信した制御信号を前記電源回路に伝送し、かつ、前記電源回路からの電力を前記発光部に供給する配線部とを備える
請求項１〜７のいずれか１項に記載の照明器具。
【請求項１０】
前記照明器具は、天井埋込型の照明器具である
請求項１〜９のいずれか１項に記載の照明器具。
【発明の詳細な説明】
【技術分野】
【０００１】
本発明は、無線通信機能を有する照明器具に関する。
【背景技術】
【０００２】
従来、無線通信機能を有する照明器具が知られている。例えば、特許文献１には、無線通信機能を有する埋込型の照明器具として、例えば、ダウンライトなどのように、天井に埋込配設されて下方に光を出射する天井埋込型の照明器具が開示されている。特許文献１に記載の照明器具では、アンテナが反射部材に設けられた孔から露出するように設けられている。
【先行技術文献】
【特許文献】
【０００３】
【特許文献１】特開２０１５−１７７２１３号公報
【発明の概要】
【発明が解決しようとする課題】
【０００４】
ところで、照明器具が備えるアンテナは、美的観点から、照明器具を設置した状態で目立たないことが望ましい。このため、天井埋込型の照明器具では、アンテナを含む無線通信モジュールを天井の裏側に配置することが考えられる。
【０００５】
無線通信モジュールは、例えば、照明器具の光源に電力を供給する電源回路に接続される。このとき、電源回路は、安全対策などの観点から一般的には金属筐体に収納されている。金属が電波を遮断するので、無線通信モジュールは、金属筐体の外面に設置される。
【０００６】
金属筐体が照明器具の器具本体と別体である場合、金属筐体が設置される位置及び姿勢（設置向き）は、施工業者次第である。このため、無線通信モジュールがどのように設置されるかを管理するのが難しく、設置状態によっては通信性能が低下する恐れがある。
【０００７】
また、天井埋込型の照明器具は、その上方を断熱材などで覆われている。断熱材にはアルミホイルなどの金属材料が用いられることが多いため、照明器具の通信性能を悪化させる恐れがある。
【０００８】
そこで、本発明は、無線通信の通信性能の低下を抑制することができる照明器具を提供することを目的とする。
【課題を解決するための手段】
【０００９】
上記目的を達成するため、本発明の一態様に係る照明器具は、無線通信機能を有する照明器具であって、前方に光を出射するように発光部が取り付けられる器具本体と、前記前方から見た場合に、前記器具本体から側方に突出した突出部と、無線通信を行うことで、前記照明器具の動作を制御するための制御信号を受信する無線通信部とを備え、前記無線通信部は、前記突出部の後面より前記前方に位置し、前記突出部に固定されている。
【発明の効果】
【００１０】
本発明に係る照明器具によれば、無線通信の通信性能の低下を抑制することができる。
【図面の簡単な説明】
【００１１】
【図１】実施の形態１に係る照明器具の斜視図である。
【図２】実施の形態１に係る照明器具の一部切り欠き断面図である。
【図３】実施の形態１に係る照明器具の無線通信モジュール及び樹脂ケースの分解斜視図である。
【図４】実施の形態１に係る無線通信モジュールが突出部に固定された状態を模式的に示す断面図である。
【図５】実施の形態１に係る照明器具の通信範囲を模式的に示す下面図である。
【図６】実施の形態２に係る照明器具の一部切り欠き断面図である。
【図７】実施の形態２に係る無線通信モジュールが突出部に固定された状態を模式的に示す断面図である。
【発明を実施するための形態】
【００１２】
以下では、本発明の実施の形態に係る照明器具について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１４】
以降、本明細書において、「前方」とは、照明器具が光を出射する方向（光出射方向）であって、光が取り出される光取り出し方向（すなわち、照明方向）であり、「後方」とは、「前方」の反対の方向である。
【００１５】
また、本明細書及び図面において、ｘ軸、ｙ軸及びｚ軸は、三次元直交座標系の三軸を示している。各実施の形態では、ｚ軸方向を鉛直方向（上下方向）とし、ｚ軸に垂直な方向（ｘｙ平面に平行な方向）を水平方向としている。なお、ｚ軸の正方向を鉛直上方としている。
【００１６】
（実施の形態１）
［概要］
まず、実施の形態１に係る照明器具１の概要について、図１及び図２を用いて説明する。
【００１７】
図１は、本実施の形態に係る照明器具１の斜視図である。図１は、斜め下方から見上げたときの照明器具１を示している。
【００１８】
図２は、本実施の形態に係る照明器具１の一部切り欠き断面図である。具体的には、図２は、照明器具１の光軸Ｊを通る断面を示す断面図（左側）と、照明器具１の側面図（右側）とを組み合わせて図示している。
【００１９】
また、図２には、照明器具１が取り付けられる造営材の一例である天井材２が図示されている。天井材２には、照明器具１を取り付けるための取付穴３が設けられている。取付穴３の径は、例えば１００ｍｍであるが、これに限らない。天井材２の上方には、照明器具１を覆うように断熱材４が設けられている。断熱材４は、例えば、アルミホイルなどの金属材料が表面に形成された断熱シートである。なお、図２では、天井材２、取付穴３及び断熱材４の断面が示されている。
【００２０】
照明器具１は、光軸Ｊが上下方向（具体的には、鉛直方向）に一致し、かつ、下方（鉛直下方）に光を出射する姿勢で使用される。例えば、照明器具１は、ダウンライトなどの埋込型照明器具の一例であり、例えば、建物の天井材２に設けられた取付穴３に埋込配設されて下方（床など）に光を出射する。
【００２１】
本実施の形態では、照明器具１は下方に光を出射するので、照明器具１の「前方」は「下方」であって、「光出射方向」である。照明器具１の「後方」は「上方」であって、「光出射方向の反対方向（反対側）」である。
【００２２】
なお、照明器具１の使用態様は、この例に限らない。例えば、照明器具１は、天井材２ではなく、壁材又は床材などに取り付けられてもよい。これらの場合、光の出射方向である「前方」はそれぞれ、「側方（水平方向）」又は「上方（鉛直上方）」となる。このように、照明器具１の「前方」は、照明器具１の使用態様（取り付け姿勢）によって変化する。
【００２３】
照明器具１は、図１に示すように、照明ユニット１０と、器具本体２０と、突出部３０と、樹脂ケース５０と、取付バネ７０とを備える。さらに、照明器具１は、図２に示すように、樹脂ケース５０内に収納された無線通信モジュール４０と、突出部３０内に収納された電源回路６０とを備える。
【００２４】
以下、照明器具１の各構成部材（部品）について詳細に説明する。なお、一部を除いて詳細な説明を省略するが、照明器具１には、構成部材同士を連結固定するための係止部又はネジなどの固定部材などが適宜設けられている。
【００２５】
［照明ユニット］
照明ユニット１０は、照明器具１の照明機能を担う発光部の一例である。本実施の形態では、図２に示すように、照明ユニット１０は、光源１１を備え、鉛直下方（ｚ軸の負側）に光を出射する。図２に示すように、照明ユニット１０は、光源１１と、反射部材１２と、透光性カバー１３とを備える。
【００２６】
光源１１は、照明器具１における光源の一例であり、白色などの所定の色（波長）の光を発する発光部である。光源１１は、例えば、粘着性の放熱部材（図示せず）を介して器具本体２０の内側の底面に固定されている。
【００２７】
図２に示すように、光源１１は、発光基板１４と、複数のＬＥＤ１５とを備えるＬＥＤモジュールである。光源１１は、ベアチップ（ＬＥＤ１５）が発光基板１４上に直接実装された、いわゆるＣＯＢ（Ｃｈｉｐ  Ｏｎ  Ｂｏａｒｄ）モジュールである。
【００２８】
発光基板１４としては、例えば、セラミック基板、樹脂基板又はメタルベース基板などを用いることができる。発光基板１４の平面視形状は、例えば矩形であるが、六角形若しくは八角形などの多角形又は円形などでもよい。発光基板１４には、金属配線（図示せず）が形成され、複数のＬＥＤ１５を電気的に接続している。
【００２９】
ＬＥＤ１５は、発光素子の一例であり、所定の電力により発光する半導体発光素子である。ＬＥＤ１５は、例えば、単色の可視光を発するベアチップであり、具体的には、通電されれば青色光を発する青色発光ＬＥＤチップである。複数のＬＥＤ１５は、発光基板１４の主面上において、複数列又はマトリクス状に配置されている。
【００３０】
なお、複数のＬＥＤ１５は、封止部材（図示せず）によって一括封止されている。例えば、複数のＬＥＤ１５は、素子列毎に一括封止されてもよく、あるいは、発光基板１４上の全てのＬＥＤ１５が一括封止されてもよい。
【００３１】
封止部材は、例えば、シリコーン樹脂などの透光性樹脂材料を主成分として含み、ＬＥＤ１５からの光の波長を変換する波長変換材を含んでいる。波長変換材は、例えば、蛍光体粒子であり、具体的には、黄色蛍光体粒子である。本実施の形態では、ＬＥＤ１５が発する青色光と、黄色蛍光体粒子が青色光によって励起されて発する黄色光とが混合されることにより、光源１１は白色光を発する。なお、封止部材には、シリカなど（ＳｉＯ２）の光拡散材（光散乱粒子）を含んでいてもよい。
【００３２】
なお、光源１１は、ＳＭＤ（Ｓｕｒｆａｃｅ  Ｍｏｕｎｔｅｄ  Ｄｅｖｉｃｅ）型のモジュールでもよい。具体的には、発光基板１４上にパッケージ型のＬＥＤ素子（ＳＭＤ型ＬＥＤ素子）が実装されていてもよい。パッケージ型のＬＥＤ素子は、例えば、凹部（キャビティ）を有する樹脂製の容器と、凹部の中に実装されたＬＥＤチップ（ＬＥＤ１５）と、凹部内に封入された封止部材（蛍光体含有樹脂）とを備える。
【００３３】
本実施の形態では、光源１１は、調光機能及び調色機能の少なくとも一方を有してもよい。例えば、光源１１は、０％（消灯）〜１００％（全点灯）の範囲から選択された調光比の光を出射する。また、例えば、光源１１は、２７００Ｋ〜６５００Ｋの範囲から選択された色温度の光を出射する。調光比は、光の強度（放射照度）を示すパラメータの一例である。色温度は、光の色合いを示すパラメータの一例である。調光比及び色温度を選択する指示は、無線通信モジュール４０が受信する制御信号に含まれる。
【００３４】
なお、光源１１は、赤色光（Ｒ）、緑色光（Ｇ）及び青色光（Ｂ）の各々を独立して出射してもよい。光源１１は、制御信号によって、ＲＧＢの各々の光出力が制御（ＲＧＢ制御）されてもよい。
【００３５】
反射部材１２は、光源１１からの光の配光を制御する部材である。本実施の形態では、反射部材１２は、光源１１からの光を透光性カバー１３に向けて反射する。反射部材１２は、光軸Ｊが略中央を貫通する開口が設けられた略筒体である。
【００３６】
具体的には、図２に示すように、反射部材１２は、光源１１からの光が入射される側（ｚ軸の正側）の端部から、当該光が出射される側の端部に向かって内径が漸次大きくなるように形成されている。反射部材１２の内面が、光源１１からの光を反射する反射面である。
【００３７】
反射部材１２は、例えば、ネジ（図示せず）によって器具本体２０に固定されている。例えば、反射部材１２の一部が発光基板１４を押さえることで、光源１１の落下を防止することができる。
【００３８】
反射部材１２は、例えば、ポリブチレンテレフタレート（ＰＢＴ）などの硬質の白色樹脂材料を用いて形成される。このとき、反射部材１２の内面には、アルミニウムなどの金属反射膜が設けられてもよい。
【００３９】
透光性カバー１３は、反射部材１２からの光が入射される透光性の部材である。図２に示すように、透光性カバー１３は、反射部材１２の光出射側（ｚ軸の負側）の開口を覆うように配置されている。
【００４０】
透光性カバー１３は、透光性を有する材料から形成されている。透光性カバー１３は、アクリル（ＰＭＭＡ）、ポリカーボネート（ＰＣ）などの透明樹脂材料から形成される。あるいは、透光性カバー１３は、透明なガラス材料から形成されてもよい。
【００４１】
透光性カバー１３は、例えば、反射部材１２によって支持されている。具体的には、透光性カバー１３には、反射部材１２が有する爪部（図示せず）に係止する凹部（図示せず）が設けられている。当該凹部が爪部に係止することで、透光性カバー１３は、反射部材１２に支持されている。
【００４２】
透光性カバー１３は、反射部材１２を通過した光の配光を制御して出射する機能を有してもよい。例えば、透光性カバー１３は、フレネルレンズであってもよい。また、透光性カバー１３は、光拡散（散乱）構造を有してもよい。例えば、透光性カバー１３は、光拡散材が分散された樹脂材料を用いて形成されてもよく、あるいは、表面に凹凸又はドットパターンが形成されてもよい。
【００４３】
［器具本体］
器具本体２０は、照明器具１の本体である。器具本体２０には、前方に光を出射するように照明ユニット１０（発光部）が取り付けられる。器具本体２０は、放熱性の観点などから熱伝導性に優れた金属材料を用いて形成されている。例えば、器具本体２０は、アルミダイカスト製であるが、プレス加工などにより形成されていてもよい。
【００４４】
器具本体２０は、図１に示すように、光軸Ｊを略中心とする略円筒状の筒体である。図２に示すように、器具本体２０の中央部分に照明ユニット１０が取り付けられている。例えば、照明ユニット１０は、器具本体２０にネジ（図示せず）によって固定されている。
【００４５】
器具本体２０の下端（光出射側の端部）には、円環状の鍔部が設けられている。当該鍔部と、取付バネ７０とが天井材２を挟むことで、照明器具１は、天井材２の取付穴３に取り付けられる。
【００４６】
［突出部］
本実施の形態では、突出部３０は、図２に示すように、内部空間３１を有する筐体である。突出部３０の大きさ及び形状は特に限定されず、取付穴３に挿入可能で、天井材２の裏側に設置することができる程度の大きさ及び形状であればよい。例えば、突出部３０は、突出方向に長尺な略直方体状の筐体（突出体）である。
【００４７】
突出部３０は、下方（すなわち、光出射側）から見た場合に、器具本体２０から側方に突出している。本実施の形態では、突出部３０の一部は、器具本体２０の上方（光出射方向の反対側）に位置している。突出部３０は、器具本体２０の上面（上端面）を覆うように、下面視において側方に突出している。
【００４８】
突出部３０は、例えば、金属材料又は樹脂材料を用いて形成されている。例えば、突出部３０は、アルミダイカスト製でもよく、あるいは、ＰＢＴなどの樹脂材料を用いた射出成形によって形成されていてもよい。
【００４９】
突出部３０は、例えば、器具本体２０とは別体（別部品）で構成されている。具体的には、突出部３０は、器具本体２０にネジ（図示せず）によって固定されている。なお、突出部３０と器具本体２０とは、一体（一部品として）で構成されていてもよい。例えば、突出部３０と器具本体２０とは、金属材料又は樹脂材料を用いた射出成形などによって一体に形成されていてもよい。
【００５０】
突出部３０は、図２に示すように、上面３２と、下面３３とを有する。上面３２は、突出部３０の光出射方向の反対側の面であり、突出部３０の後面である。下面３３は、突出部３０の光出射方向の面であり、突出部３０の前面である。上面３２及び下面３３はそれぞれ、平坦な面であり、互いに平行であるが、これに限らない。上面３２及び下面３３の少なくとも一方は、湾曲面でもよい。
【００５１】
下面３３には、図２に示すように、内部空間３１と外部とを連通する貫通孔３４が設けられている。具体的には、貫通孔３４は、略矩形のスリットである。貫通孔３４の下面視における長手方向は、突出部３０の突出方向（ｙ軸の正方向）に略一致する。
【００５２】
貫通孔３４は、無線通信モジュール４０及び樹脂ケース５０を挿入するための孔である。貫通孔３４には、無線通信モジュール４０が内部に収納された樹脂ケース５０が略垂直に挿入される。貫通孔３４の下面視形状と、樹脂ケース５０の断面形状（ｘｙ断面）とが略一致する。
【００５３】
［無線通信モジュール（無線通信部）］
無線通信モジュール４０は、無線通信を行うことで、照明器具１の動作を制御するための制御信号を受信する無線通信部の一例である。制御信号は、例えば、ユーザが操作するリモコン又はスマートフォンなどの携帯端末（操作端末）から送信される無線信号である。
【００５４】
本実施の形態では、無線通信モジュール４０は、受信機能だけでなく、送信機能も有する。例えば、無線通信モジュール４０は、受信した制御信号を、他の照明器具などに送信する。つまり、無線通信モジュール４０は、操作端末から他の照明器具への制御信号の中継を行ってもよい。これにより、操作端末から送信される制御信号を、操作端末から離れた照明器具（操作端末の通信範囲内に位置しない照明器具）に受信させることができる。
【００５５】
無線通信は、電波（すなわち、可視光及び赤外光を除く）を用いた通信である。無線通信モジュール４０は、例えば、Ｗｉ−Ｆｉ（登録商標）、Ｂｌｕｅｔｏｏｔｈ（登録商標）又はＺｉｇＢｅｅ（登録商標）などの無線通信規格に基づいて無線通信を行う。
【００５６】
本実施の形態では、無線通信モジュール４０は、電源回路６０と電気的に接続され、照明ユニット１０の点灯又は消灯を制御するための照明制御信号を受信する。無線通信モジュール４０は、照明ユニット１０の調光又は調色を制御するための照明制御信号を受信してもよい。例えば、照明制御信号には、照明ユニット１０を点灯させるための点灯指示、照明ユニット１０を消灯させるための消灯指示、又は、照明ユニット１０の調光比若しくは色温度を選択する指示などが含まれる。
【００５７】
図３は、本実施の形態に係る照明器具１の無線通信モジュール４０及び樹脂ケース５０の分解斜視図である。無線通信モジュール４０は、図３に示すように、基板４１と、送受信部４２と、制御部４３と、コネクタ４４とを有する。
【００５８】
基板４１は、例えば、プリント配線基板であり、送受信部４２及び制御部４３を電気的に接続する金属配線（図示せず）が設けられている。本実施の形態では、基板４１は、長尺であり、正面視形状が長方形である。
【００５９】
送受信部４２は、無線信号の受信を行う受信部の一例である。本実施の形態では、送受信部４２は、例えば、チップアンテナ又はパターンアンテナなどであり、無線信号の送受信を行う。具体的には、送受信部４２は、操作端末などから送信された制御信号を受信する。また、送受信部４２は、受信した制御信号を送信してもよい。
【００６０】
制御部４３は、送受信部４２が受信した制御信号を処理する制御回路である。制御部４３は、例えば、ＩＣ（Ｉｎｔｅｇｒａｔｅｄ  Ｃｉｒｃｕｉｔ）チップなどの１以上の回路素子から構成されている。
【００６１】
本実施の形態では、送受信部４２は、基板４１の長手方向の一方端側に偏った位置に設けられている。制御部４３は、基板４１の長手方向の他方端側に偏った位置に設けられている。本実施の形態では、送受信部４２と制御部４３とは、基板４１の同じ主面に実装されているが、互いに異なる主面に配置されていてもよい。
【００６２】
コネクタ４４は、無線通信モジュール４０と電源回路６０との電気的な接続を行うための素子である。コネクタ４４は、例えば、メス型のコネクタであり、図３に示すように、電源回路６０が有するオス型のコネクタ６３が差し入れられる。これにより、無線通信モジュール４０と電源回路６０とが電気的に接続され、制御信号を電源回路６０に伝達することができる。
【００６３】
無線通信モジュール４０は、図４に示すように、突出部３０に固定されている。図４は、本実施の形態に係る無線通信モジュール４０が突出部３０に固定された状態を模式的に示す断面図である。なお、図４では、無線通信モジュール４０の送受信部４２及び制御部４３の位置関係が分かりやすくなるように、無線通信モジュール４０を断面ではなく、主面を正面視した状態で示している。
【００６４】
本実施の形態では、無線通信モジュール４０は、突出部３０の下面３３に固定されている。例えば、下面３３の貫通孔３４の近傍には、ネジ穴（図示せず）が設けられている。当該ネジ穴に、樹脂ケース５０を固定するためのネジ５３及び５４がネジ入れられることで、樹脂ケース５０が突出部３０に固定される。樹脂ケース５０が突出部３０に固定されることで、無線通信モジュール４０は、突出部３０に固定される。
【００６５】
無線通信モジュール４０は、図４に示すように、突出部３０の上面３２より下方に位置している。本実施の形態では、無線通信モジュール４０の直上方向には、突出部３０の上面３２が位置している。具体的には、無線通信モジュール４０は、少なくとも一部が、突出部３０の下面３３より下方に位置している。
【００６６】
具体的には、図４に示すように、無線通信モジュール４０は、基板４１の長手方向が上下方向（ｚ軸）に一致し、かつ、送受信部４２が下方側になる姿勢で、突出部３０に固定されている。このとき、送受信部４２は、突出部３０の下面３３より下方に位置している。つまり、送受信部４２は、突出部３０の内部空間３１ではなく、外側に位置している。制御部４３の少なくとも一部及びコネクタ４４は、内部空間３１に位置している。
【００６７】
本実施の形態では、無線通信モジュール４０は、基板４１の主面が突出部３０の突出方向（ｙ軸の正方向）に平行になる姿勢で突出部３０に固定されている。具体的には、無線通信モジュール４０は、基板４１の厚み方向がｘ軸と平行になる姿勢で固定されている。つまり、基板４１の主面は、突出部３０の下面３３に直交している。
【００６８】
［樹脂ケース］
樹脂ケース５０は、内部に無線通信モジュール４０を収納する筐体である。樹脂ケース５０は、図３に示すように、第１筐体５１と、第２筐体５２とを備える。
【００６９】
第１筐体５１及び第２筐体５２はそれぞれ、扁平な略直方体状（トレイ状）の箱体であり、主面が開放されている。第１筐体５１及び第２筐体５２は、間に無線通信モジュール４０を挟んで、開放された主面を合わせるようにして組み合わされる。第１筐体５１と第２筐体５２とは、一方に設けられた複数の爪部５１ａと、他方に設けられた複数の凹部５２ａとが互いに係止することで、互いに固定される。
【００７０】
図３に示すように、第２筐体５２は、切り欠き状の貫通孔５２ｃが設けられた凸部５２ｂを有する。ネジ５４が、貫通孔５２ｃを介して突出部３０に設けられたネジ穴（図示せず）にネジ入れられることで、第２筐体５２が突出部３０に固定される。図３には示していないが、第１筐体５１も同様に、切り欠き状の貫通孔が設けられた凸部を有し、ネジ５３がネジ入れられる。
【００７１】
第２筐体５２には、さらに、開口５２ｄが設けられている。開口５２ｄは、無線通信モジュール４０のコネクタ４４を露出させるために設けられている。これにより、無線通信モジュール４０を樹脂ケース５０に収納した状態で、コネクタ４４にコネクタ６３を差し入れることができる。
【００７２】
樹脂ケース５０は、例えば、ＰＢＴなどの樹脂材料を用いて形成されている。具体的には、第１筐体５１及び第２筐体５２の各々が、樹脂材料を用いた射出成形などによって一体に形成されている。
【００７３】
［電源回路］
電源回路６０は、照明ユニット１０（光源１１）を点灯させるための電力を供給する回路（点灯回路）である。電源回路６０は、例えば、系統電源又は蓄電池などの外部の電源からケーブル（図示せず）を介して供給される交流電力を直流電力に変換して照明ユニット１０に供給する。
【００７４】
電源回路６０は、具体的には、照明ユニット１０の点灯（全点灯）及び消灯を制御する。電源回路６０は、照明ユニット１０の調光又は調色を行ってもよい。
【００７５】
例えば、電源回路６０は、無線通信モジュール４０が受信した照明制御信号に基づいて、照明ユニット１０に供給する電力量を調整する。照明制御信号が照明ユニット１０の点灯指示を含む場合、電源回路６０は、照明ユニット１０に電力を供給することで、照明ユニット１０を点灯させる。照明制御信号が照明ユニット１０の消灯指示を含む場合、電源回路６０は、照明ユニット１０への電力の供給を停止することで、照明ユニット１０を消灯させる。照明制御信号が照明ユニット１０の調光比又は色温度を選択する指示を含む場合、電源回路６０は、照明制御信号に含まれる指示によって選択された調光比又は色温度の光を照明ユニット１０が発するように制御する。
【００７６】
図４に示すように、電源回路６０は、例えば、回路基板６１と、複数の回路素子６２と、コネクタ６３とを備える。回路基板６１は、例えば、プリント配線基板であり、複数の回路素子６２及びコネクタ６３を電気的に接続する金属配線が設けられている。複数の回路素子６２は、例えば、整流回路素子、検知抵抗、ヒューズ素子、抵抗、コンデンサ、チョークコイル、ダイオード又はトランジスタなどである。
【００７７】
コネクタ６３は、電源回路６０と無線通信モジュール４０との電気的な接続を行うための素子である。コネクタ６３は、一方の端部が回路基板６１に接続され、他方の端部に、コネクタ４４に差入可能なオス型の差込端子を有する。
【００７８】
［取付バネ］
取付バネ７０は、照明器具１を天井材２に設けられた取付穴３に取り付けるために用いられる。取付バネ７０は、器具本体２０の下部から斜め上方に延びるように、器具本体２０に固定されている。
【００７９】
例えば、照明器具１を取付穴３に取り付ける場合に、まず、突出部３０の先端を取付穴３に挿入した後、取付バネ７０に力を加えて取付バネ７０を器具本体２０に寄せた状態で器具本体２０を取付穴３に挿入する。器具本体２０を挿入しながら取付バネ７０に加えている力を弱めることで、取付バネ７０は元の位置（下方）に戻ろうとする。このとき、取付バネ７０の復元力を利用して、取付バネ７０と器具本体２０の鍔部とが天井材２を挟持することで、照明器具１は、取付穴３に固定される。
【００８０】
取付バネ７０は、鉄などの金属材料を用いて、プレス加工などによって長尺状の細板形状に成形されている。本実施の形態では、図１に示すように、３つの取付バネ７０を備えるが、取付バネ７０の個数及び位置はこれに限定されない。
【００８１】
［無線通信モジュールの通信範囲］
ここで、無線通信モジュール４０の通信範囲について、図５を用いて説明する。
【００８２】
図５は、本実施の形態に係る照明器具１の通信範囲４５を模式的に示す下面図である。図５では、通信範囲４５を網掛けで模式的に示している。なお、図５に示す通信範囲４５は、無線通信モジュール４０を独立して配置したときの通信範囲（仕様上の通信範囲）を模式的に示したものであり、器具本体２０などの他の部材の影響を考慮していない通信範囲である。
【００８３】
無線通信モジュール４０は、無線通信の通信範囲４５に指向性を有する。通信範囲４５は、無線通信モジュール４０の送受信部４２が無線信号を送受信可能な範囲である。
【００８４】
図５に示すように、通信範囲４５は、基板４１の主面（ｙｚ面）の両側において、主面に直交する方向（ｘ軸方向）に延びており、主面に平行な方向（ｙ軸方向）にはほとんど形成されていない。具体的には、無線通信モジュール４０の送受信部４２は、基板４１の主面に直交する方向の無線信号を送受信可能である。一方で、送受信部４２は、基板４１の主面に平行な方向の無線信号をほとんど送受信できない。通信範囲４５の大きさ（最大距離）は、特に限定されないが、例えば、照明器具１が設置される空間（部屋）の大きさであり、数ｍ〜数十ｍである。
【００８５】
本実施の形態では、無線通信モジュール４０は、下方から見た場合に、通信範囲４５と器具本体２０との重複が少なくなる姿勢で突出部３０に固定されている。具体的には、図４で示したように、無線通信モジュール４０は、基板４１の主面が突出部３０の突出方向（ｙ軸の正方向）に平行になる姿勢で突出部３０に固定されている。
【００８６】
また、図４及び図５に示すように、無線通信モジュール４０は、突出部３０の突出方向の先端側に偏った位置に固定されている。具体的には、突出部３０の突出方向における中央より先端側に位置している。言い換えると、ｙ軸方向において、突出部３０の先端から無線通信モジュール４０までの距離は、突出部３０の根元（器具本体２０）から無線通信モジュール４０までの距離より短い。無線通信モジュール４０は、例えば、突出部３０の先端に接触するように配置されていてもよい。本実施の形態では、無線通信モジュール４０は、突出部３０の先端から突出方向（ｙ軸の正側）にはみ出ないように、当該先端より内側（根元側）に位置している。
【００８７】
［効果など］
以上のように、本実施の形態に係る照明器具１は、無線通信機能を有する照明器具であって、下方（前方）に光を出射するように照明ユニット１０（発光部）が取り付けられる器具本体２０と、下方から見た場合に、器具本体２０から側方に突出した突出部３０と、無線通信を行うことで、照明器具１の動作を制御するための制御信号を受信する無線通信モジュール４０とを備え、無線通信モジュール４０は、突出部３０の上面（後面）３２より下方に位置し、突出部３０に固定されている。例えば、照明器具１は、天井埋込型の照明器具である。
【００８８】
これにより、図２に示したように断熱材４が照明器具１を覆う場合でも、無線通信モジュール４０の上方には突出部３０の上面３２が位置しているので、断熱材４と無線通信モジュール４０との接触を避けることができる。つまり、突出部３０は、無線通信モジュール４０と断熱材４との接触を妨げる庇（又は、覆い）として機能している。したがって、断熱材４に金属材料が用いられている場合でも、無線通信モジュール４０による無線通信の通信性能の低下を抑制することができる。
【００８９】
また、無線通信モジュール４０は、器具本体２０から突出した突出部３０に固定されており、発熱源となる照明ユニット１０から遠ざけられている。これにより、照明ユニット１０で発生した熱が無線通信モジュール４０に伝わるのを抑制することができ、通信性能の低下を抑制することができる。
【００９０】
また、無線通信モジュール４０と器具本体２０との相対位置が固定されているので、施工時に無線通信モジュール４０の取り付け位置及び姿勢などがばらつくのを防ぐことができる。したがって、例えば、無線通信モジュール４０の通信範囲４５が器具本体２０などによって遮られて狭くなるのを抑制することができ、通信性能の低下を抑制することができる。
【００９１】
また、無線通信モジュール４０は、突出部３０と器具本体２０との間（すなわち、突出部３０の下部空間）に位置しているので、照明器具１の施工時に、天井材２などに接触しにくい。これにより、無線通信モジュール４０の破損又は脱離などが起きにくくなるので、通信性能の低下を抑制することができる。
【００９２】
以上のように、本実施の形態に係る照明器具１によれば、無線通信の通信性能の低下を抑制することができる。
【００９３】
また、例えば、無線通信モジュール４０は、長尺の基板４１と、基板４１の長手方向の一方端側に偏った位置に設けられ、制御信号を受信する送受信部４２とを有し、長手方向が上下方向（前後方向）に一致し、かつ、送受信部４２が下方側になる姿勢で、突出部３０に固定されている。
【００９４】
無線通信機能を有する天井埋込型の照明器具１は、一般的には、照明器具１が取り付けられた部屋に存在するユーザが操作するリモコン又はスマートフォンなどの携帯端末からの無線信号によって制御される。つまり、照明器具１は、照明器具１の下方から送信された無線信号を受信する。
【００９５】
本実施の形態に係る照明器具１では、送受信部４２が下向きに配置されているので、突出部３０及び器具本体２０が通信の妨げになりにくい。これにより、照明器具１の通信性能の低下を抑制することができる。
【００９６】
また、例えば、送受信部４２は、突出部３０の下面（前面）３３より下方に位置している。
【００９７】
これにより、送受信部４２が突出部３０の下面３３より下方に位置しており、送受信部４２と天井材２との間には空間が設けられている。つまり、送受信部４２の下側には、器具本体２０などの金属部材が設けられていないので、送受信部４２の通信性能の低下を抑制することができる。
【００９８】
また、例えば、無線通信モジュール４０は、基板４１の主面が突出部３０の突出方向に平行になる姿勢で突出部３０に固定されている。
【００９９】
これにより、図５に示したように、無線通信モジュール４０は、基板４１の主面に対して直交する方向に受信感度が強くなり、基板４１の主面に平行な方向には受信感度が弱くなるような通信範囲４５を有する。したがって、受信感度が強い方向に器具本体２０が位置しないので、照明器具１の通信性能の低下を抑制することができる。
【０１００】
また、例えば、無線通信モジュール４０は、突出部３０の突出方向の先端側に偏った位置に固定されている。
【０１０１】
これにより、無線通信モジュール４０を器具本体２０から更に離すことができるので、器具本体２０による通信の妨げを抑制することができる。これにより、照明器具１の通信性能の低下を抑制することができる。
【０１０２】
また、例えば、無線通信モジュール４０は、無線通信の通信範囲４５に指向性を有し、下方から見た場合に、通信範囲４５と器具本体２０との重複が少なくなる姿勢で固定されている。
【０１０３】
これにより、器具本体２０と通信範囲４５との重複を少なくすることができるので、器具本体２０が要因となって起こる通信性能の低下を抑制することができる。
【０１０４】
また、例えば、照明器具１は、さらに、突出部３０の内部に収納され、照明ユニット１０を点灯させるための電力を供給する電源回路６０を備え、無線通信モジュール４０は、電源回路６０と電気的に接続され、照明ユニット１０の点灯又は消灯を制御するための制御信号を受信する。
【０１０５】
これにより、突出部３０内に電源回路６０が収納されているので、電源回路６０が器具本体２０とは別の筐体に収納されている場合に比べて、照明器具１の小型化を図ることができる。また、無線通信モジュール４０を電源回路６０に直接接続することができるので、部品点数を削減することができる。
【０１０６】
（実施の形態２）
続いて、実施の形態２について説明する。
【０１０７】
図６は、本実施の形態に係る照明器具１０１の一部切り欠き断面図である。具体的には、図６は、照明器具１０１の光軸Ｊを通る断面を示す断面図（左側）と、照明器具１の側面図（右側）とを組み合わせて図示している。
【０１０８】
図６に示すように、照明器具１０１は、実施の形態１に係る照明器具１と比較して、新たに、スピーカユニット１１０と、スピーカアンプ１６０と、筐体１８０と、配線部１９０とを備える点と、突出部３０及び無線通信モジュール４０の代わりに突出部１３０及び無線通信モジュール１４０を備える点とが相違する。以下では、実施の形態１との相違点を中心に説明し、共通点については説明を省略又は簡略化する。
【０１０９】
［スピーカユニット］
スピーカユニット１１０は、照明器具１０１の音響機能を担う部分である。本実施の形態では、スピーカユニット１１０は、音楽、音声、警告音などの様々な音を発する。スピーカユニット１１０の出音方向は、ｚ軸の負側であり、照明ユニット１０の光出射方向（すなわち、下方）と略一致している。
【０１１０】
本実施の形態では、スピーカユニット１１０は、照明ユニット１０の光出射方向とは反対側（ｚ軸の正側）、すなわち、照明ユニット１０の後方に配置されている。スピーカユニット１１０が発した音は、器具本体２０内の照明ユニット１０の周囲に設けられた孔（図示せず）を介して下方に放出される。
【０１１１】
スピーカユニット１１０は、例えば、コーン型のスピーカユニットであり、振動板（コーン紙）、ボイスコイル、ダンパー、磁気回路（断面Ｕ字型のヨーク、マグネット及びプレート）などを有する。スピーカユニット１１０は、配線部１９０の第３ケーブル１９３が接続される端子を有し、スピーカアンプ１６０と電気的に接続されている。
【０１１２】
例えば、スピーカアンプ１６０から第３ケーブル１９３を介して伝達されるオーディオ信号に基づいて、磁気回路は、ボイスコイルを振動させる。ダンパーがボイスコイルの振動を振動板に伝達することで、スピーカユニット１１０は、下方に音を発する。
【０１１３】
［突出部］
突出部１３０は、実施の形態１に係る突出部３０と比較して、内部にスピーカユニット１１０を収納する点が相違する。具体的には、突出部１３０は、内部空間１３１を有する筐体である。内部空間１３１は、スピーカユニット１１０の後方空間に相当する。突出部１３０は、スピーカユニット１１０の後方空間を覆うエンクロージャ部であり、スピーカユニット１１０の音質の向上に寄与している。
【０１１４】
内部空間１３１を大きくすることで、スピーカユニット１１０の音質を向上させることができる。このために、内部空間１３１には、電源回路６０が収納されていない。
【０１１５】
本実施の形態では、実施の形態１と同様に、図７に示すように、突出部１３０の下面に、樹脂ケース５０に収納された無線通信モジュール１４０が固定されている。図７は、本実施の形態に係る無線通信モジュール１４０が突出部１３０に固定された状態を模式的に示す断面図である。なお、図７では、図４と同様に、無線通信モジュール１４０の送受信部４２及び制御部４３の位置関係が分かりやすくなるように、無線通信モジュール１４０を断面ではなく、主面を正面視した状態で示している。
【０１１６】
図７に示すように、突出部１３０には、配線部１９０の第１ケーブル１９１及び第３ケーブル１９３を挿通させるための挿通孔１３４が設けられている。また、突出部１３０は、実施の形態１と同様に、上面３２及び下面３３を有し、下面３３には、無線通信モジュール１４０及び樹脂ケース５０を挿入するための貫通孔３４が設けられている。
【０１１７】
［無線通信モジュール］
無線通信モジュール１４０は、実施の形態１に係る無線通信モジュール４０と比較して、さらに、スピーカユニット１１０の出音又は消音を制御するための音声制御信号を受信する点が相違する。例えば、音声制御信号には、スピーカユニット１１０に音声を出力させるための出音指示、スピーカユニット１１０に音声の出力を停止させるための消音指示、音量を調整する指示などが含まれる。また、音声制御信号には、スピーカユニット１１０が出力する音声信号（音声データ）が含まれる。
【０１１８】
本実施の形態では、無線通信モジュール１４０は、第１ケーブル１９１を介して、電源回路６０及びスピーカアンプ１６０に接続されている。例えば、図７に示すように、無線通信モジュール４０のコネクタ４４には、第１ケーブル１９１が接続されている。無線通信モジュール１４０は、第１ケーブル１９１を介して、受信した照明制御信号を電源回路６０に出力し、受信した音声制御信号をスピーカアンプ１６０に出力する。
【０１１９】
無線通信モジュール１４０の構成、通信範囲、取り付け位置などは、実施の形態１に係る無線通信モジュール４０と同じである。
【０１２０】
［スピーカアンプ］
スピーカアンプ１６０は、音声信号を増幅してスピーカユニット１１０に出力する増幅回路である。図示しないが、スピーカアンプ１６０は、回路基板と、回路基板に実装された複数の回路素子とを備える。なお、スピーカアンプ１６０と電源回路６０とは、１つの回路基板を共有してもよい。
【０１２１】
スピーカアンプ１６０には、第１ケーブル１９１及び第３ケーブル１９３が接続されている。無線通信モジュール１４０によって受信された音声制御信号は、第１ケーブル１９１を介してスピーカアンプ１６０に伝送される。スピーカアンプ１６０は、第３ケーブル１９３を介して、音声制御信号に含まれる音声信号（音声データ）をスピーカユニット１１０に供給する。
【０１２２】
［筐体］
筐体１８０は、電源回路６０を収納するための筐体であり、器具本体２０とは別体で設けられている。本実施の形態では、筐体１８０の内部には、スピーカアンプ１６０が更に収納されている。筐体１８０には、例えば、配線部１９０の第１ケーブル１９１、第２ケーブル１９２及び第３ケーブル１９３を挿通させる挿通孔（図示せず）が設けられている。
【０１２３】
筐体１８０は、例えば、電源回路６０などを保護するために金属材料を用いて形成されている。例えば、筐体１８０は、アルミニウムなどの板金をプレス加工することで形成されているが、これに限らない。
【０１２４】
図６に示すように、筐体１８０は、例えば、天井材２の裏面（上面）に載置される。筐体１８０の大きさ及び形状は特に限定されず、取付穴３に挿入可能で、天井材２の裏側に設置することができる程度の大きさ及び形状であればよい。例えば、筐体１８０は、突出部１３０と同じ大きさであってもよい。
【０１２５】
［配線部］
配線部１９０は、器具本体２０及び突出部３０と、筐体１８０とを接続する。具体的には、配線部１９０には、第１ケーブル１９１と、第２ケーブル１９２と、第３ケーブル１９３とが含まれる。
【０１２６】
第１ケーブル１９１は、無線通信モジュール１４０と、電源回路６０及びスピーカアンプ１６０とを接続する。第１ケーブル１９１は、無線通信モジュール１４０が受信した制御信号を電源回路６０又はスピーカアンプ１６０に伝送する。第１ケーブル１９１は、図７に示すように、突出部１３０に設けられた挿通孔１３４に挿入されて、無線通信モジュール１４０のコネクタ４４に接続されている。
【０１２７】
第２ケーブル１９２は、電源回路６０と照明ユニット１０とを接続する。第２ケーブル１９２は、電源回路６０から照明ユニット１０に電力を供給する。第２ケーブル１９２は、器具本体２０の側面に設けられた挿通孔（図示せず）に挿入されて、照明ユニット１０に接続されている。
【０１２８】
第３ケーブル１９３は、スピーカアンプ１６０とスピーカユニット１１０とを接続する。第３ケーブル１９３は、スピーカアンプ１６０からスピーカユニット１１０に音声信号を供給する。第３ケーブル１９３は、突出部１３０に設けられた挿通孔１３４に挿入されて、スピーカユニット１１０の端子に接続されている。
【０１２９】
なお、突出部１３０には、スピーカユニット１１０に近い位置に貫通孔が設けられていてもよく、当該貫通孔に第３ケーブル１９３は挿入されていてもよい。これにより、突出部１３０の内部空間１３１内に位置する第３ケーブル１９３の長さを短くすることができ、内部空間１３１をより広くすることができる。これにより、スピーカユニット１１０が発する音の音質を高めることができる。
【０１３０】
［効果など］
以上のように、本実施の形態に係る照明器具１０１は、さらに、スピーカユニット１１０を備え、無線通信モジュール１４０は、スピーカユニット１１０の出音又は消音を制御するための制御信号を受信する。
【０１３１】
これにより、突出部１３０内にスピーカユニット１１０が収納されているので、スピーカユニット１１０が器具本体２０とは別の筐体に収納されている場合に比べて、照明器具１０１の小型化を図ることができる。また、照明器具１０１の照明機能だけでなく、音響機能を無線制御することができる。
【０１３２】
また、例えば、照明器具１０１は、さらに、照明ユニット１０を点灯させるための電力を供給する電源回路６０と、電源回路６０を収納し、器具本体２０とは離間して設けられた筐体１８０と、無線通信モジュール１４０が受信した制御信号を電源回路６０に伝送し、かつ、電源回路６０からの電力を照明ユニット１０に供給する配線部１９０とを備える。
【０１３３】
これにより、器具本体２０及び突出部１３０とは別の筐体１８０に電源回路６０が収納されているので、例えば、突出部１３０の内部空間１３１を大きくすることができる。内部空間１３１をスピーカユニット１１０の後方空間として利用した場合には、当該後方空間を大きくすることができるので、スピーカユニット１１０の音質を高めることができる。
【０１３４】
（その他）
以上、本発明に係る照明器具について、実施の形態に基づいて説明したが、本発明は、上記の実施の形態に限定されるものではない。
【０１３５】
例えば、上記の実施の形態では、無線通信モジュール４０又は１４０の一部が突出部３０又は１３０の内部に位置している例について示したが、これに限らない。無線通信モジュール４０又は１４０の略全体が、突出部３０又は１３０の下方に位置していてもよい。例えば、無線通信モジュール４０又は１４０は、送受信部４２及び制御部４３の両方が、突出部３０又は１３０の下面３３より下方に位置する姿勢で突出部３０又は１３０に固定されていてもよい。
【０１３６】
例えば、実施の形態２では、無線通信モジュール１４０の全体が、突出部１３０の下面３３より下方に位置する状態で下面３３に固定されていてもよい。この場合、第１ケーブル１９１と無線通信モジュール１４０との接続は、突出部１３０の外側で行われるので、突出部１３０には挿通孔１３４が設けられていなくてもよい。これにより、突出部１３０の内部空間１３１を更に広くすることができ、スピーカユニット１１０が発する音の音質を更に高めることができる。
【０１３７】
また、例えば、上記の実施の形態では、突出部３０又は１３０が金属材料を用いて形成されている例について示したが、突出部３０又は１３０は、樹脂材料を用いて形成されていてもよい。この場合、突出部３０又は１３０が無線信号（電波）を透過させるので、無線通信モジュール４０又は１４０は、突出部３０又は１３０の内部に収納されていてもよい。すなわち、無線通信モジュール４０又は１４０は、突出部３０又は１３０の下面３３より下方には位置しておらず、上面３２と下面３３との間に位置していてもよい。
【０１３８】
また、例えば、上記の実施の形態では、突出部３０又は１３０の内部に電源回路６０又はスピーカユニット１１０が収納される例について示したが、これに限らない。すなわち、突出部３０又は１３０は、内部空間３１又は１３１を有しなくてもよい。
【０１３９】
例えば、突出部３０又は１３０は、器具本体２０から側方に突出した板状又は棒状の突出部でもよい。無線通信モジュール４０又は１４０は、例えば、板状又は棒状の突出部の上面より下方に位置するように、当該突出部に固定されている。このように、突出部３０又は１３０は、無線通信モジュール４０又は１４０を固定するためだけに設けられていてもよい。
【０１４０】
この場合、例えば、電源回路６０は、実施の形態２のように、別の筐体に収納されていてもよい。スピーカユニット１１０は、器具本体２０の内部、又は、器具本体２０とは別の筐体に収納されていてもよい。
【０１４１】
また、例えば、上記の実施の形態では、無線通信モジュール４０又は１４０を収納する樹脂ケース５０を突出部３０又は１３０に固定することで、無線通信モジュール４０又は１４０を突出部３０又は１３０に固定したが、これに限らない。照明器具１又は１０１は、樹脂ケース５０を備えなくてもよく、無線通信モジュール４０又は１４０は、突出部３０又は１３０に直接固定されていてもよい。例えば、無線通信モジュール４０又は１４０は、接着剤などを用いて突出部３０又は１３０に固定されていてもよい。
【０１４２】
また、例えば、上記の実施の形態では、無線通信モジュール４０又は１４０の基板４１が長尺である例について示したが、これに限らない。例えば、基板４１の正面視形状は、正方形又は円形でもよい。送受信部４２と制御部４３とは、正方形状の基板４１の主面に並んで配置されていてもよい。この場合、無線通信モジュール４０又は１４０は、例えば、送受信部４２が制御部４３より下側（光出射側）になる姿勢で突出部３０に固定されていてもよい。
【０１４３】
また、例えば、上記の実施の形態では、無線通信モジュール４０又は１４０は、送受信機能を有する例について示したが、これに限らない。例えば、無線通信モジュール４０又は１４０は、信号の受信機能のみを有し、送信機能を有していなくてもよい。具体的には、無線通信モジュール４０又は１４０は、送受信部４２ではなく、無線信号の受信のみを行う受信部を備えてもよい。
【０１４４】
また、例えば、上記の実施の形態では、照明ユニット１０がＬＥＤを備える例について示したが、これに限らない。照明ユニット１０は、有機ＥＬ（Ｅｌｅｃｔｒｏ  Ｌｕｍｉｎｅｓｃｅｎｃｅ）素子又はレーザ素子などを備えてもよい。また、照明器具１又は１０１は、照明ユニット１０として、着脱自在な電球型ランプなどを有してもよい。
【０１４５】
また、例えば、上記の実施の形態では、照明器具１又は１０１がダウンライトなどの天井埋込型の照明器具である例について示したが、これに限らない。例えば、照明器具１又は１０１は、シーリングライト、スポットライト、フロアライトなどでもよい。
【０１４６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４７】
１、１０１  照明器具
２  天井材（造営材）
３  取付穴
１０  照明ユニット（発光部）
２０  器具本体
３０、１３０  突出部
３２  上面
３３  下面
４０、１４０  無線通信モジュール（無線通信部）
４１  基板
４２  送受信部（受信部）
４５  通信範囲
６０  電源回路
１１０  スピーカユニット（スピーカ）
１８０  筐体
１９０  配線部
【図１】
2018056015.tif 000003
【図２】
2018056015.tif 000004
【図３】
2018056015.tif 000005
【図４】
2018056015.tif 000006
【図５】
2018056015.tif 000007
【図６】
2018056015.tif 000008
【図７】
2018056015.tif 000009